(57)【要約】【課題】多くの場所に、容易に設置して、日よけや雨よけとして使用することができるパラソルを提供すること。【解決手段】１本のみの長さ調整可能な伸縮部１０１、１０２を有する突っ張り棒形式の支柱１０と、支柱１０が貫通し支柱１０に沿って上下方向に移動可能な下ろくろ１２と、支柱１０に設けられ下ろくろ１２の下方への移動を制約する突起部１３と、支柱１０に固定された上ろくろ１１と、垂直方向に回動可能かつ水平方向に回動不能に上ろくろ１１に接合された親骨２０と、親骨２０の各々について１本ずつ設けられ親骨２０と下ろくろ１２とを結ぶ受骨３０と、親骨２０の間に設けられたシート４０とを備えたパラソル１を提供する。【選択図】図１
2020065900.tif 000002
【特許請求の範囲】
【請求項１】
１本のみの長さ調整可能な伸縮部を有する突っ張り棒形式の支柱と、
前記支柱が貫通し、前記支柱に沿って上下方向に移動可能な下ろくろと、
前記支柱又は前記下ろくろに設けられ、前記下ろくろの下方への移動を制約する係止部材と、
前記支柱に固定された上ろくろと、
垂直方向に回動可能かつ水平方向に回動不能に前記上ろくろに接合された３本以上の親骨と、
前記親骨の各々について１本ずつ設けられた、前記親骨と前記下ろくろとを結ぶ受骨と、
前記親骨の間に設けられたシートとを備え、
上面視における前記親骨の配置について、
前記親骨のうちの２本が略１８０度の角度に設けられた端親骨であり、
前記端親骨を除く前記親骨である中親骨は、２本の前記端親骨が形成する直線に対する一側のみに存し、
前記シートは、前記一側のみに存することを特徴とする、パラソル。
【請求項２】
１本のみの長さ調整可能な伸縮部を有する突っ張り棒形式の支柱と、
前記支柱が貫通し、前記支柱に沿って上下方向に移動可能な下ろくろと、
前記支柱又は前記下ろくろに設けられ、前記下ろくろの下方への移動を制約する係止部材と、
前記支柱に固定された上ろくろと、
垂直方向に回動可能かつ水平方向に回動不能に前記上ろくろに接合された親骨と、
前記親骨の各々について１本ずつ設けられた、前記親骨と前記下ろくろとを結ぶ受骨と、
前記親骨の間に設けられたシートとを備え、
上面視における前記親骨の配置について、
前記親骨のうちの２本が略９０度の角度に設けられた端親骨であり、
前記端親骨を除く前記親骨である中親骨は、２本の前記端親骨の間の略９０度の角度内のみに存し、
前記シートは、２本の前記端親骨の間の略９０度の角度内のみ存することを特徴とする、パラソル。
【請求項３】
２本以上の前記中親骨を備え、前記下ろくろを前記突起部に係止した状態において、２本の前記端親骨と前記中親骨のうちの２本との先端である４点が、上面視において長方形の４頂点に配されることを特徴とする、請求項１に記載のパラソル。
【請求項４】
前記支柱の下側に前記伸縮部を有することを特徴とする、請求項１〜３のいずれか１項に記載のパラソル。
【請求項５】
前記中親骨が、１の前記端親骨から他の前記端親骨に向けて、等しい角度で順に配置され、
全ての前記親骨が等長であることを特徴とする、請求項１〜４のいずれか１項に記載のパラソル。
【請求項６】
前記支柱は、外管と前記外管に挿入される内管とを前記外管及び前記内管に設けられた孔部を貫通するバーによって係止し、前記外管及び前記内管の少なくとも一方が上下位置の相違する２以上の前記孔部を備え、前記バーを挿入する前記孔部を選択することで前記支柱の長さを調整する長さ調整部を備えることを特徴とする、請求項１〜５のいずれか１項に記載のパラソル。
【請求項７】
前記内管は、相互に接続／分離可能な２以上の部分内管を備え、
各々の部分内管は、均一の太さであり、前記孔部が設けられることを特徴とする、請求項６に記載のパラソル。
【請求項８】
前記外管及び前記内管の両方が２以上の前記孔部を備え、
前記外管及び前記内管の一方は、前記孔部を前記伸縮部の伸縮可能長さ以下の第１の間隔で、上下方向に等間隔でｎ個備え、
前記外管及び前記内管の他方は、前記孔部を前記第１の間隔のｎ倍の第２の間隔で、上下方向に等間隔で備えることを特徴とする、請求項６又は７に記載のパラソル。
【発明の詳細な説明】
【技術分野】
【０００１】
本発明は、建物の軒先等に設置可能なパラソルに関する。
【背景技術】
【０００２】
住宅や店舗の軒先等に設置され、日よけや雨よけとして利用されるパラソル（例えば非特許文献１参照）が知られている。
【０００３】
しかし、かかるパラソルは、立てた状態で支柱を保持するためにベース（支柱の下端を把持する部材）を用いるものであった。ベースの体積及び重量によって、設置場所が制限され、また、設置に要する労力が大きなものであった。
【先行技術文献】
【非特許文献】
【０００４】
【非特許文献１】”壁際で使える省スペース半円パラソル”  https://item.rakuten.co.jp/at-ptr/fj-c-10217-20000/?scid=af_pc_etc&sc2id=af_113_0_10001868
【発明の概要】
【発明が解決しようとする課題】
【０００５】
本発明は、多くの場所に、容易に設置して、日よけや雨よけとして使用することができるパラソルを提供することを課題とする。
【課題を解決するための手段】
【０００６】
本発明のパラソルは、
１本のみの長さ調整可能な伸縮部を有する突っ張り棒形式の支柱と、
前記支柱が貫通し、前記支柱に沿って上下方向に移動可能な下ろくろと、
前記支柱又は前記下ろくろに設けられ、前記下ろくろの下方への移動を制約する係止部材と、
前記支柱に固定された上ろくろと、
垂直方向に回動可能かつ水平方向に回動不能に前記上ろくろに接合された３本以上の親骨と、
前記親骨の各々について１本ずつ設けられた、前記親骨と前記下ろくろとを結ぶ受骨と、
前記親骨の間に設けられたシートとを備え、
上面視における前記親骨の配置について、
前記親骨のうちの２本が略１８０度の角度に設けられた端親骨であり、
前記端親骨を除く前記親骨である中親骨は、２本の前記端親骨が形成する直線に対する一側のみに存し、
前記シートは、前記一側のみに存することを特徴とする。
【０００７】
この特徴によれば、ベースを用いずにパラソルを設置できるため、建物の軒先等に設置する際には、１本のみの支柱を天井面と床面との間に架設すればよく、労力をかけずに容易に設置することができる。また、略１８０度の角度に設けられた端親骨を建物の面に沿わせて、パラソルをひさしのように設置することができる。
【０００８】
本発明のパラソルは、
１本のみの長さ調整可能な伸縮部を有する突っ張り棒形式の支柱と、
前記支柱が貫通し、前記支柱に沿って上下方向に移動可能な下ろくろと、
前記支柱又は前記下ろくろに設けられ、前記下ろくろの下方への移動を制約する係止部材と、
前記支柱に固定された上ろくろと、
垂直方向に回動可能かつ水平方向に回動不能に前記上ろくろに接合された親骨と、
前記親骨の各々について１本ずつ設けられた、前記親骨と前記下ろくろとを結ぶ受骨と、
前記親骨の間に設けられたシートとを備え、
上面視における前記親骨の配置について、
前記親骨のうちの２本が略９０度の角度に設けられた端親骨であり、
前記端親骨を除く前記親骨である中親骨は、２本の前記端親骨の間の略９０度の角度内のみに存し、
前記シートは、２本の前記端親骨の間の略９０度の角度内のみ存することを特徴とする。
【０００９】
この特徴によれば、１本のみの支柱を天井面と床面との間に架設すればよく、労力をかけずに容易に設置することができる。また、略９０度の角度に設けられた端親骨を建物の角に沿わせて、パラソルを建物の角におけるひさしのように設置することができる。
【００１０】
本発明のパラソルは、
２本以上の前記中親骨を備え、前記下ろくろを前記突起部に係止した状態において、２本の前記端親骨と前記中親骨のうちの２本との先端である４点が、上面視において長方形の４頂点に配されることを特徴とする。
【００１１】
この特徴によれば、オーニングテントと同様に、パラソルに長方形のシートを設けることができる。
【００１２】
本発明のパラソルは、
前記支柱の下側に前記伸縮部を有することを特徴とする。
【００１３】
この特徴によれば、支柱の上側を天井面に固定して下側の伸縮部で長さを調整することができ、支柱を天井面と床面との間に容易に架設することができる。
【００１４】
本発明のパラソルは、
前記中親骨が、１の前記端親骨から他の前記端親骨に向けて、等しい角度で順に配置され、
全ての前記親骨が等長であることを特徴とする。
【００１５】
この特徴によれば、パラソルのシートの形状を上面視扇形（半円形状を含む）とすることができる。
【００１６】
本発明のパラソルは、
前記支柱は、外管と前記外管に挿入される内管とを前記外管及び前記内管に設けられた孔部を貫通するバーによって係止し、前記外管及び前記内管の少なくとも一方が上下位置の相違する２以上の前記孔部を備え、前記バーを挿入する前記孔部を選択することで前記支柱の長さを調整する長さ調整部を備えることを特徴とする。
【００１７】
この特徴によれば、支柱の伸縮度合が大きくなり、幅広い軒の高さに対応することができる。
【００１８】
本発明のパラソルは、
前記内管は、相互に接続／分離可能な２以上の部分内管を備え、
各々の部分内管は、均一の太さであり、前記孔部が設けられることを特徴とする。
【００１９】
この特徴によれば、部分内管を使用する数が変えられるので、支柱の伸縮度合がさらに大きくなり、さらに幅広い軒の高さに対応することができる。
【００２０】
本発明のパラソルは、
前記外管及び前記内管の両方が２以上の前記孔部を備え、
前記外管及び前記内管の一方は、前記孔部を前記伸縮部の伸縮可能長さ以下の第１の間隔で、上下方向に等間隔でｎ個備え、
前記外管及び前記内管の他方は、前記孔部を前記第１の間隔のｎ倍の第２の間隔で、上下方向に等間隔で備えることを特徴とする。
【００２１】
この特徴によれば、外管への内管の挿入長さを第１の間隔の刻みで調整することができる。第１の間隔以下の長さは、伸縮部によって調整することができる。すなわち、いかなる軒の高さについても、支柱の長さを厳密に合わせることができる。
【発明の効果】
【００２２】
本発明のパラソルによれば、ベースを用いずにパラソルを設置できるため、建物の軒先等に設置する際には、１本のみの支柱を天井面と床面との間に架設すればよく、労力をかけずに容易に設置することができる。
【図面の簡単な説明】
【００２３】
【図１】図１は、パラソルの正面図である。（実施例１）
【図２】図２は、パラソルの側面図である。（実施例１）
【図３】図３は、パラソルの背面図である。（実施例１）
【図４】図４は、パラソルの上面図である。（実施例１）
【図５】図５は、下ろくろ及び突起部を説明する拡大図である。（実施例１）
【図６】図６は、下ろくろの別構造を説明する拡大図である。（実施例１）
【図７】図７は、下ろくろを移動させる別構造を説明する図である。（実施例１）
【図８】図８は、伸縮部を示す図である。（実施例１）
【図９】図９は、パラソルの上面図である。（実施例２）
【図１０】図１０は、パラソルの上面図である。（実施例２）
【図１１】図１１は、パラソルの上面図である。（実施例３）
【図１２】図１２は、支柱の構成を示す図である。（実施例４）
【図１３】図１３は、支柱の構成を示す図である。（実施例４）
【図１４】図１４は、孔部の配置を示す図である。（実施例４）
【発明を実施するための形態】
【００２４】
以下、本発明の実施例を図面を参照して説明する。
【実施例１】
【００２５】
図１は本実施例に係るパラソル１の正面図であり、図２は側面図であり、図３は背面図であり、図４は上面図である。図１及び図２に示すように、パラソル１には上下方向に伸びる１本の支柱１０が設けられている。当該支柱１０は内部が中空の円筒柱であり、例えば鉄やアルミニウムで形成されている。支柱１０の上部付近にはリング状の上ろくろ１１が支柱１０に貫通固定されている。上ろくろ１１の下方には、リング状の下ろくろ１２が支柱１０の長手方向に沿って上下方向に移動可能に支柱１０に貫通して設けられている。上ろくろ１１及び下ろくろ１２は、例えば合成樹脂で形成されている。
【００２６】
上ろくろ１１には、長さが等しい４本の親骨２０の端部が接合されている。各親骨２０は、垂直方向に回動可能かつ水平方向に回動不能に設けられている。なお、親骨２０の数は、３本以上であれば任意に設計してよい。
【００２７】
下ろくろ１２と各親骨２０の中間部とは、それぞれ１本の受骨３０で連結されている。下ろくろ１２を支柱１０に沿って移動させると、その動きに連動して親骨２０及び受骨３０が垂直方向に回動するようになっている。親骨２０及び受骨３０は、例えばステンレス、アルミニウム、めっき加工された鉄等で形成されている。
【００２８】
支柱１０には、下ろくろ１２の下方への移動を制約する突起部１３が設けられている。図１及び図２には、下ろくろ１２がその下側に位置する突起部１３に係止されることにより、下方への移動が制約されている状態が示されている。突起部１３が下ろくろ１２の下方への移動を制約する係止部材となる。当該突起部１３は、上端部が水平方向に突出し、当該突出した上端縁から下端部に向けて支柱１０側に傾斜する斜面を有する。
【００２９】
支柱１０の外周面には上下方向に延びるスリット（不図示）が形成されており、突起部１３は支柱１０内に設けられた弾性機構（不図示）により、支柱１０の内部から当該スリットを通して外部に突出付勢されている。
【００３０】
図１及び図２に示す下ろくろ１２が突起部１３に係止されている状態において、突起部１３に外部から支柱１０方向に力が加えられると、突起部１３は支柱１０の内部に入り込む。これにより、下ろくろ１２と突起部１３との係止が解かれ、下ろくろ１２は突起部１３よりも下方に移動可能となる。パラソル１を収納したり運搬したりする際には、かさばらないように下ろくろ１２を突起部１３よりも下側に移動させて、親骨２０及び受骨３０を支柱１０に近接配置することが可能となる。
【００３１】
下ろくろ１２が突起部１３よりも下方にある時に、下ろくろ１２を上方に移動させた場合、下ろくろ１２が突起部１３の位置に達すると、突起部１３は下ろくろ１２の筒内壁により押圧されて支柱１０の内部に入り込む。これにより、下ろくろ１２は突起部１３の位置よりも上方に移動可能となる。下ろくろ１２が突起部１３よりも上方に移動すると、突起部１３は支柱１０内部から外部へ突出し、下ろくろ１２は突起部１３に係止され、各親骨２０は固定された位置に配置される。
【００３２】
ここで、下ろくろ１２と突起部１３の関係は、図示したものに限られない。図５は、下ろくろ及び突起部を説明する拡大図である。パラソル１は通常の傘よりも大きく、下ろくろ１２も大きなものとなる。そこで、図５（Ａ）に示すように、突起部１３が、下ろくろ１２の下端でなく、下ろくろ１２の内部において下ろくろ１２を係止することが考えられる。
【００３３】
この場合、突起部１３を支柱１０の内部に押しこむための押ボタン１４が下ろくろ１２に設けられる。図５（Ｂ）に示すように、押ボタン１４を押して突起部１３を支柱１０の内部に押しこみ、下ろくろ１２を移動させる。
【００３４】
図６は、下ろくろの別構造を説明する拡大図である。図６（Ａ）に示すように、下ろくろ１２の中に円盤部１５が設けられている。円盤部１５は、支柱１０を貫通させ得る孔部を中央に有する。
【００３５】
支柱１０には、図６（Ｂ）に示すように細径部１０ｘが設けられている。図６（Ｃ）は、下ろくろ１２が係止された状態における図６（Ａ）のＳ−Ｓ線断面図である。円盤部１５は、バネ１５ａによって図面下方に付勢されている。これにより、円盤部１５が細径部１０ｘに入り、下ろくろ１２の下方への移動を制約する係止部材として機能する。
【００３６】
押ボタン１４を押すことによって、図６（Ｄ）に示すように、円盤部１５を移動してその孔部に支柱１０が貫通するようにでき、下ろくろ１２と円盤部１５との係止が解かれ、下ろくろ１２は下方に移動可能となる。
【００３７】
図７は、下ろくろを移動させる別構造を説明する図である。下ろくろ１２には、ワイヤ１６が接続され、ワイヤ１６を上方に引くことで下ろくろ１２が上方に移動する。ワイヤ１６を上方に引かずに、自由長にすれば下ろくろ１２は自重により下方に移動する。
【００３８】
ワイヤ１６は、滑車１７ａを周回し、リール１７ｂに巻回されている。リール１７ｂは、支柱１０の外部に設けられたハンドル１７ｃを操作して回動させることができる。ハンドル１７ｃを操作して、ワイヤ１６をリール１７ｂに巻き取ることで、下ろくろ１２を上方に移動することができる。また、ワイヤ１６をリール１７ｂから外すことで、下ろくろ１２を下方に移動することができる
【００３９】
下ろくろ１２を上方に移動させて、パラソルを開いた状態で下ろくろ１２を係止させる場合、ワイヤ１６が下ろくろ１２の下方への移動を制約する係止部材として機能する。
【００４０】
また、下ろくろ１２の上方への過剰な移動を防止するため、支柱１０にストッパ（下ろくろを係止する突起）を設けてもよい。
【００４１】
親骨２０は、上面視において略１８０度の角度に設けられた２本の端親骨２０１と、当該端親骨２０１以外の２本の中親骨２０２と、で構成される。図３に示すように、２本の端親骨２０１は直線を形成し、２本の中親骨２０２は当該２本の端親骨２０１が形成する直線に対する一側のみに存する。当該中親骨２０２は、１の端親骨２０１から他の端親骨２０１に向けて、等しい角度（ここでは６０度）で順に配置されている。なお、中親骨２０２の数は２本に限らず、３本以上設けてもよいし、１本のみであってもよい。
【００４２】
親骨２０の間にはシート４０が設けられている。図３に示すように、当該シート４０は、２本の端親骨２０１が形成する直線に対する一側に存する。本実施例では、１枚のシート４０により、端親骨２０１及び中親骨２０２全体を被服している。被覆する際に、２本の端親骨２０１がシート４０の径に相当する部分に位置し、中親骨２０２の端部がシート４０の円周に相当する部分に位置するように、位置合せされている。シート４０の素材としては、各種のテント生地を採用することができる。シート４０には、紫外線カット処理、裏面の防水コーティング、撥水加工などを施してもよい。
【００４３】
ここで、シート４０が傾斜して設けられるので、親骨２０（端親骨２０１及び中親骨２０２）は、シート４０の向こう側にある。図は、シート４０が透明であり、親骨２０（端親骨２０１及び中親骨２０２）が見えるものとして描いた。シート４０の下縁を１点鎖線で示す。当然、シート４０が透明でなく、親骨２０（端親骨２０１及び中親骨２０２）が視認されないものとしてよい。
【００４４】
なお、シート４０は１枚ものに限らず、中心角が６０度の３枚の扇形のシートを用いてもよい。この場合には、各シートの扇形の径に相当する縁部を各親骨２０に長手方向に沿って連結することとなる。
【００４５】
また、２本の端親骨２０１の間にシート４１を設けてもよい（図２参照）。図３（図１、図２と相違し、シート４１を不透明に描いてある。）に示すように、シート４１は、背面側を覆い、シート４０と合わせて、パラソル１の周縁を１周する。
【００４６】
当該支柱１０の上側及び下側にはそれぞれ伸縮部１０１、１０２が設けられている。建物の軒下等に当該支柱１０を突っ張り棒形式に架設する際に、伸縮部１０１、１０２を伸縮させることにより、支柱１０の長さを天井面と床面との距離に等しくなるように調整することができる。
【００４７】
伸縮部１０１、１０２の伸縮構造は、公知のものを用いることができる。例えば、図８に示す構造とすることができる。図は、下側の伸縮部１０２を示すが、上側の伸縮部１０１も同様でよい。伸縮部１０２に設けられた雌ネジ１０２ｂと支柱１０に設けられた雄ネジ１０ｙとが螺合し、伸縮部１０２を回動することで伸縮部１０２の支柱１０からの突起長さ（パラソル１の高さ）が調整される。
【００４８】
伸縮部１０１、１０２の先端には、半球状のパット１０１ａ、１０２ａが設けられている。パット１０２ａは、伸縮部（の本体）１０２に対し、ネジを有さず自由に回動可能である。この構造により、パット１０２ａを地面に当接させて固定したままで、伸縮部１０２を回動してパラソル１の高さを調整することができる。なお、パット１０２ａは、下面が平坦であれば、半球状でなくてもよく、円板状、その他の形状であってもよい。
【００４９】
上側の伸縮部１０１は、シート４０及び上ろくろ１１の位置よりも上側に設けられている。したがって、パラソル１を軒先に設置する際には、まず、上側の伸縮部１０１を用いてシート４０よりも上側（すなわち、シート４０と軒先の天井面と間）の支柱１０の長さを所望の長さに調整した後に、下側の伸縮部１０２を用いて支柱１０の長さを建物の軒先の天井面と床面との間の距離と等しくなるように調整することができる。
【００５０】
ここで、伸縮部１０１、１０２は、必ずしも両方を設けなくともよい。例えば、下側の伸縮部１０２のみを設け、上側はパット１０１ａのみとしてもよい。シート４０よりも上側の長さはほぼ一定であり、下側の伸縮部１０２のみを用いて支柱１０の長さを調整することでも十分である。
【００５１】
ここで、上側をパット１０１ａのみとする場合、生産の容易性から、パット１０１ａをパット１０２ａと同一の部材とすることが考えられる。そうすると、パット１０１ａ、パット１０２ａの双方が、回動可能となる。支柱１０（及びパラソル１）が回動してしまい危険な場合も考えられるので、パット１０１ａを支柱１０にネジ止め等で固定し、支柱１０の回動を制止することが好ましい。
【００５２】
このようなパラソル１を建物の軒下に設置する際の手順について説明する。設置前のパラソル１は、下ろくろ１２が突起部１３の下側に位置し、親骨２０及び受骨３０が支柱１０に近接して配置されている。
【００５３】
まず、使用目的や好みに応じて、シート４０を軒下の天井面に近接させるか、シート４０と天井面との間の間隔を十分にとるか等を検討し、天井面とシート４０との距離を決定する。当該決定した天井面とシート４０との間の距離に応じて、支柱１０の上側の伸縮部１０１の長さを調整する。ただし、天井面とシート４０との間の距離を固定し、上側の伸縮部１０１がないものとしてよい。
【００５４】
次に、軒下の天井面と床面との距離に応じて、支柱１０の下側の伸縮部１０２の長さを調整し、支柱１０を突っ張り棒状態で天井面と床面との間に架設する。
【００５５】
次に、下ろくろ１２を突起部１３の上側まで支柱１０に沿って上方にスライドさせて、各親骨２０を水平状態にしてシート４０を開き、下ろくろ１２を突起部１３に係止する。これによりパラソル１の設置が完了する。
【００５６】
このように、パラソル１を建物の軒先等に設置する際には、支柱１０の長さを伸縮部１０１、１０２（又は伸縮部１０２のみ）を用いて調整し、支柱１０を天井面と床面との間に架設した後、下ろくろ１２を上方に移動させて突起部１３に係止すればよいため、労力をかけずに容易に設置することができる。
【実施例２】
【００５７】
次に、実施例２について説明する。実施例１において説明したことはそのまま用いられる。実施例１との相違を中心に説明し、共通の部分は詳細な説明を省略する。図９は、本実施例に係るパラソル１ａの上面図である。
【００５８】
本実施例に係るパラソル１ａの親骨２０ａは、２本の端親骨２０１と、２本の中親骨２０２ａと、で構成される。下ろくろ１２を上に置きパラソルを開いた状態においては、図９に示すように、２本の端親骨２０１と２本の中親骨２０２ａとの先端である４点が、上面視において長方形の４頂点に配される。これらの端親骨２０１及び中親骨２０２ａ全体は、２本の端親骨２０１と２本の中親骨２０２ａとの先端である４点を頂点とする長方形状のシート４０ａによって被覆されている。
【００５９】
このように、２本の端親骨２０１と２本の中親骨２０２ａとの先端である４点が上面視において長方形の４頂点に配されるように構成することで、パラソル１ａに設ける支柱１０を１本のみとしているにも関わらず、シート４０ａの形状を、広い幅の長方形とすることができる。
【００６０】
ここで、シート４０ａが傾斜して設けられるので、親骨２０ａ（端親骨２０１及び中親骨２０２）は、シート４０ａの向こう側にある。図は、シート４０ａが透明であり、親骨２０ａ（端親骨２０１及び中親骨２０２）が見えるものとして描いた。シート４０ａの下縁を１点鎖線で示す。当然、シート４０ａが透明でなく、親骨２０ａ（端親骨２０１及び中親骨２０２）が視認されないものとしてよい。
【００６１】
なお、シート４０ａの弛みを防ぐために、例えば図１０に示すようにパラソル１が横方向に長い場合に、下ろくろ１２を突起部１３に係止した状態において、水平方向かつ端親骨２０１に対して垂直方向に伸びる中親骨２０２ｂを１本設けてもよい。この場合には、当該中親骨２０２ｂと下ろくろ１２とを連結する受骨３０を１本追加で設けることとなる。
【実施例３】
【００６２】
次に、実施例３について説明する。実施例１、２において説明したことはそのまま用いられる。実施例１、２との相違を中心に説明し、共通の部分は詳細な説明を省略する。図１１は、本実施例に係るパラソル１ｂの上面図である。
【００６３】
本実施例に係るパラソル１ｂの親骨２０ｂは、２本の端親骨２０１ｂと、２本の中親骨２０２ｂと、で構成される。２本の端親骨２０１ｂは、９０度の角度を持って配されている。下ろくろ１２を上に置きパラソルを開いた状態においては、図１１に示すように、パラソルが上面視四半円形状となる。
【００６４】
このように、上面視四半円形状とすることで、パラソル１ｂを建物の角に設置することができる。
【実施例４】
【００６５】
次に、実施例４について説明する。支柱の長さを調整するものであり、実施例１、２、３において説明したパラソルのいずれにも適用することができる。支柱１０以外の箇所は、実施例１、２、３と同様の構成である。支柱１０を中心に説明し、他の部分は詳細な説明を省略する。
【００６６】
図１２は、支柱の構成を示す図である。支柱１０自身を伸縮させて長さを大きく（例えば３０ｃｍ）調整する（ただし、調整しないことも考えられる）。図１２（Ａ）に示すように、支柱１０を外管１０ａと内管１０ｂから構成し、外管１０ａに孔部１８ａを、内管１０ｂに孔部１８ｂを、それぞれ設ける。
【００６７】
外管１０ａに内管１０ｂを挿入し、外管１０ａから延伸される内管１０ｂの長さを調整する（図１２（Ｂ）参照）。
複数の孔部１８ｂのうちの１を、孔部１８ａに合わせて固定する。複数の孔部１８ｂのいずれを孔部１８ａに合わせるかによって長さを調整するものである。なお、複数の孔部１８ａを設け、孔部１８ｂを１つとしてもよい。
【００６８】
孔部１８ａに合わせる孔部１８ｂを定め、図１２（Ｃ）（孔部を示す断面図）に示すように、バー１９を孔部１８ａ及び孔部１８ｂに挿入して長さ（孔部１８ｂの上下位置）を固定する。例えば、バー１９をボルトとし、ナット１９ａを用いて安定させてもよい。
【００６９】
この場合、突起部１３又はハンドル１７ｃは外管１０ａに設けられる。パラソルとして使用する場合の下ろくろ１２の位置（突起部１３の位置）は定まっており、突起部１３又はハンドル１７ｃを可動の内管１０ｂに設けることは困難である。
【００７０】
ここで、支柱１０の上側は、下ろくろ１２がその周縁を移動する。支柱１０自身を伸縮する際に、外管１０ａに内管１０ｂが挿入されるので、支柱１０の上側を外管１０ａとすることが好ましい。
【００７１】
図１３は、支柱の構成を示す図である。図１２とは別の構成のものである。図１３（Ａ）に示すように、部分内管１０ｃが設けられている。図１２（Ａ）における内管１０ｂを、２つの部分内管１０ｂ、１０ｃによって構成したものである。
【００７２】
部分内管１０ｃは、下端が縮径されており、部分内管１０ｂに挿入可能である。また、部分内管１０ｂと部分内管１０ｃの上側は、同径であり、共に孔部１８ｂ、１８ｃを有している。すなわち、部分内管１０ｂのみを内管として使用すること（図１２と同様）も、部分内管１０ｃを部分内管１０ｂに挿入して部分内管１０ｂと部分内管１０ｃとを合わせて内管として使用することもできる。部分内管１０ｂと部分内管１０ｃとを合わせて内管として使用する状態を図１３（Ｂ）に示す。
【００７３】
部分内管１０ｃの意義について説明する。図１２のように使用する場合、内管１０ｂの外管１０ａに挿入可能な深さ（すなわち支柱１０の長さの調整可能量）は、リール１７ｂ等で制約される。ここで、部分内管１０ｂと部分内管１０ｃとを合わせて内管として使用する場合、深く挿入したい場合には、部分内管１０ｃを取り外して部分内管１０ｂのみを内管として使用することで、部分内管１０ｃの長さの分だけさらに挿入したことと同様となる。すなわち、支柱１０の長さの調整可能量を大きくすることができる。
【００７４】
部分内管１０ｃは、図１３（Ｃ）に示すように、外管１０ａに挿入される。ここで、図１３（Ｃ）に示した部分内管１０ｂの先端の微小な部分のみが挿入された状態で部分内管１０ｃを取り外して部分内管１０ｂのみを内管として使用することは可能であるが好ましくない。部分内管１０ｂの挿入深さが小さく、外管１０ａとの間での固定が不十分となるためである。部分内管１０ｂの挿入深さが十分に大きくなったところで部分内管１０ｃを取り外すことが好ましい。
【００７５】
そうすると、部分内管１０ｂと部分内管１０ｃとの接続に工夫を要する。図１２（Ｃ）のようにバー１９を用いて接続することも可能であるが、接続部分はバー１９（ナット１９ａを含む）が部分内菅１０ｂの外側に突出する。この突出部分により、部分内菅１０ｂを外管１０ａに挿入できなくなってしまう。したがって、接続は、外側に突出する部材のない方式、例えば部分内管１０ｃから延伸された膨張バネ部材が部分内管１０ｂに係合する方式とすべきである。なお、部分内菅１０ｃを部分内菅１０ｂに深く挿入して接続部分を十分下方にすれば、バー１９を用いて接続することも可能である。
【００７６】
なお、部分内管１０ｃは、１のみに限らず２以上を用いてもよい。支柱１０の長さの調整可能量をさらに大きくすることができる。
【００７７】
図１４は、孔部の配置を示す図である。図１２及び図１３では１つであった孔部１８ａが３つ設けられている。ここで、孔部１８ｂの間隔Ｄ２は、孔部１８ａの間隔Ｄ１の３倍である。
【００７８】
バー１９を挿入する孔部１８ａ及び孔部１８ｂを選択して支柱１０の長さをＤ１刻みで設定することができる。一番下の孔部１８ａに孔部１８ｂを合わせた場合の挿入長さをＬとするとき、他の孔部１８ａに孔部１８ｂを合わせることで、Ｌ＋Ｄ１、Ｌ＋２Ｄ１の挿入長さとできる。Ｌ＋３Ｄ１の挿入長さは、別の孔部１８ｂを選択して実現できる。すなわち、支柱１０の長さをＤ１刻みで設定することができる。例えば、Ｄ１＝２ｃｍ、Ｄ２＝６ｃｍとして、支柱１０の長さを２ｃｍ刻みで設定することができる。
【００７９】
一般的に、孔部１８ａが３つに限定されず、その数がｎであるとして、Ｄ２＝ｎＤ１とすれば同様である。
【００８０】
ここで、Ｄ１について検討する。先に支柱１０自身を伸縮しておおよその長さをＤ１刻みで合わせ、その後に伸縮部１０２による長さの細かな調整を行うことができる。すなわち、Ｄ１が伸縮部１０２によって調整可能な長さよりも小さければ、支柱１０の長さを任意のものとすることができる。
【産業上の利用可能性】
【００８１】
本発明に係るパラソルは、軒先のみならず、天井面と床面とに挟まれた場所に容易に設置して、日よけや雨よけとして利用することができる。
【符号の説明】
【００８２】
１、１ａ、１ｂ  パラソル
１０、１０ａ，１０ｂ，１０ｃ  支柱
１０ｘ    細径部
１０ｙ    ネジ
１０１    伸縮部
１０１ａ  パット
１０２    伸縮部
１０２ａ  パット
１０２ｂ  ネジ
１１      上ろくろ
１２      下ろくろ
１３      突起部（係止部材）
１４      押ボタン
１５      円盤部（係止部材）
１５ａ    バネ
１６      ワイヤ（係止部材）
１７ａ    滑車
１７ｂ    リール
１７ｃ    ハンドル
１８ａ、１８ｂ  孔部      
１９      バー（ボルト）
１９ａ    ナット
２０      親骨
２０１、２０１ａ、２０１ｂ  端親骨
２０２、２０２ａ、２０２ｂ  中親骨
３０      受骨
４０、４０ａ、４０ｂ  シート
４１、４１ａ  シート
【図１】
2020065900.tif 000003
【図２】
2020065900.tif 000004
【図３】
2020065900.tif 000005
【図４】
2020065900.tif 000006
【図５】
2020065900.tif 000007
【図６】
2020065900.tif 000008
【図７】
2020065900.tif 000009
【図８】
2020065900.tif 000010
【図９】
2020065900.tif 000011
【図１０】
2020065900.tif 000012
【図１１】
2020065900.tif 000013
【図１２】
2020065900.tif 000014
【図１３】
2020065900.tif 000015
【図１４】
2020065900.tif 000016
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
１本のみの長さ調整可能な伸縮部を有する突っ張り棒形式の支柱と、
前記支柱が貫通し、前記支柱に沿って上下方向に移動可能な下ろくろと、
前記支柱又は前記下ろくろに設けられ、前記下ろくろの下方への移動を制約する係止部材と、
前記支柱に固定された上ろくろと、
垂直方向に回動可能かつ水平方向に回動不能に前記上ろくろに接合された３本以上の親骨と、
前記親骨の各々について１本ずつ設けられた、前記親骨と前記下ろくろとを結ぶ受骨と、
前記親骨の間に設けられたシートとを備え、
上面視における前記親骨の配置について、
前記親骨のうちの２本が略１８０度の角度に設けられた端親骨であり、
前記端親骨を除く前記親骨である中親骨は、２本の前記端親骨が形成する直線に対する一側のみに存し、
前記シートは、前記一側のみに存し、
さらに、前記支柱の上端に回動不能に固定されたパットを含む、
パラソル。
【請求項２】
１本のみの長さ調整可能な伸縮部を有する突っ張り棒形式の支柱と、
前記支柱が貫通し、前記支柱に沿って上下方向に移動可能な下ろくろと、
前記支柱又は前記下ろくろに設けられ、前記下ろくろの下方への移動を制約する係止部材と、
前記支柱に固定された上ろくろと、
垂直方向に回動可能かつ水平方向に回動不能に前記上ろくろに接合された親骨と、
前記親骨の各々について１本ずつ設けられた、前記親骨と前記下ろくろとを結ぶ受骨と、
前記親骨の間に設けられたシートとを備え、
上面視における前記親骨の配置について、
前記親骨のうちの２本が略９０度の角度に設けられた端親骨であり、
前記端親骨を除く前記親骨である中親骨は、２本の前記端親骨の間の略９０度の角度内のみに存し、
前記シートは、２本の前記端親骨の間の略９０度の角度内のみに存し、
さらに、前記支柱の上端に回動不能に固定されたパットを含む、
パラソル。
【請求項３】
２本以上の前記中親骨を備え、前記下ろくろを前記突起部に係止した状態において、２本の前記端親骨と前記中親骨のうちの２本との先端である４点が、上面視において長方形の４頂点に配される、
請求項１に記載のパラソル。
【請求項４】
前記支柱の下側に前記伸縮部を有する、
請求項１〜３のいずれか１項に記載のパラソル。
【請求項５】
前記中親骨が、１の前記端親骨から他の前記端親骨に向けて、等しい角度で順に配置され、
全ての前記親骨が等長である、
請求項１〜４のいずれか１項に記載のパラソル。
【請求項６】
前記支柱は、外管と前記外管に挿入される内管とを前記外管及び前記内管に設けられた孔部を貫通するバーによって係止し、前記外管及び前記内管の少なくとも一方が上下位置の相違する２以上の前記孔部を備え、前記バーを挿入する前記孔部を選択することで前記支柱の長さを調整する長さ調整部を備える、
請求項１〜５のいずれか１項に記載のパラソル。
【請求項７】
前記内管は、相互に接続／分離可能な２以上の部分内管を備え、
各々の部分内管は、均一の太さであり、前記孔部が設けられる、
請求項６に記載のパラソル。
【請求項８】
前記外管及び前記内管の両方が２以上の前記孔部を備え、
前記外管及び前記内管の一方は、前記孔部を前記伸縮部の伸縮可能長さ以下の第１の間隔で、上下方向に等間隔でｎ個備え、
前記外管及び前記内管の他方は、前記孔部を前記第１の間隔のｎ倍の第２の間隔で、上下方向に等間隔で備える、
請求項６又は７に記載のパラソル。
【請求項９】
さらに、前記支柱の下端に回動可能に設けられたパットを含む、
請求項４に記載のパラソル。
【請求項１０】
前記支柱の上端に回動不能に固定されたパットと、前記支柱の下端に回動可能に設けられたパットが、同一の部材である、
請求項９に記載のパラソル。